(57)【要約】【課題】従来のカバー部材や埋込ボックスを利用した上で、カバー部材と埋込ボックスとを固定するネジ等の一部が、インターホン機器の周縁から露出することのないインターホン機器の壁面への設置構造を提供する。【解決手段】埋込ボックス３に固定するための固定孔１３、１３と、カバー部材２が固定されるネジ孔１４、１４とが備えられた一組のアタッチメント４、４を設け、そのアタッチメント４、４を、ネジ孔１４、１４が固定孔１３、１３よりも上下方向及び左右方向で内側に位置するような姿勢で埋込ボックス３の前面に固定した。その上で、当該アタッチメント４、４を前方から覆うようにカバー部材２を固定し、さらに当該カバー部材２の前面にインターホン親機１の本体ケースを固定することによって、インターホン親機１を壁面Ｗに設置可能とした。【選択図】図２
2018166288.tif 000002
【特許請求の範囲】
【請求項１】
壁に埋め込まれた埋込ボックスの前面に対し、カバー部材を介してインターホン機器の本体ケースを固定することによって、前記インターホン機器を壁面に設置するための設置構造であって、
前記埋込ボックスに固定するための第１の固定部と、前記カバー部材が固定される第２の固定部とが備えられているとともに、前記第２の固定部が、前記第１の固定部よりも上下方向及び左右方向で内側に備えられており、さらに、前記カバー部材よりも上下方向及び左右方向で小さなアタッチメントを設け、
前記埋込ボックスの前面に前記アタッチメントを固定するとともに、当該アタッチメントを前方から覆うように前記カバー部材を固定し、さらに当該カバー部材の前面に前記本体ケースを固定することによって、前記インターホン機器を壁面に設置可能としたことを特徴とするインターホン機器の壁面への設置構造。
【請求項２】
前記埋込ボックスの前面に、正面視矩形の開口が開設されているとともに、前記開口の左右両側縁に、前記アタッチメントが固定される被固定部が設けられている一方、
前記アタッチメントが、上下方向に延びる帯状体であり、その上下両端に前記第１の固定部が備えられているとともに、側縁に前記第２の固定部が備えられており、
前記開口の左側縁に１つのアタッチメントを、前記第２の固定部が前記第１の固定部よりも左右方向で内側に位置するような姿勢で固定する一方、前記開口の右側縁にもう１つのアタッチメントを、前記左側のアタッチメントとは上下逆さの姿勢で固定することを特徴とする請求項１に記載のインターホン機器の壁面への設置構造。
【発明の詳細な説明】
【技術分野】
【０００１】
本発明は、たとえば居室内に設置されるインターホン親機等といったインターホン機器を壁面へ設置するための設置構造に関するものである。
【背景技術】
【０００２】
従来、たとえばインターホン親機等のインターホン機器を壁面に設置するに際しては、壁に埋め込まれる埋込ボックスに固定される（たとえば特許文献１）。また、インターホン機器と埋込ボックスとの間に、左右長さ及び上下幅がインターホン機器よりも大きなカバー部材を介在させ、その部材により壁面の汚れを隠すようにすることもある（たとえば特許文献２）。
【先行技術文献】
【特許文献】
【０００３】
【特許文献１】特開２０１０−８１４８３号公報
【特許文献２】特開２０１０−１６７２７号公報
【発明の概要】
【発明が解決しようとする課題】
【０００４】
従来の設置構造では、カバー部材に対するインターホン機器の大きさによっては、カバー部材と埋込ボックスとを固定するネジ等の一部が、カバー部材に固定されたインターホン機器の周縁から露出してしまい、結果として外観が損なわれてしまうという問題が起こり得る。そこで、そのような問題に対応しようとすると、埋込ボックスやカバー部材を、固定部の位置等が異なる別のタイプのものに交換しなければならない。すなわち、新たな埋込ボックスやカバー部材を設計する必要があり、対応が非常に困難であった。
【０００５】
そこで、本発明は、上記問題に鑑みなされたものであって、従来のカバー部材や埋込ボックスを利用した上で、カバー部材と埋込ボックスとを固定するネジ等の一部が、インターホン機器の周縁から露出することのないインターホン機器の壁面への設置構造を提供しようとするものである。
【課題を解決するための手段】
【０００６】
上記目的を達成するために、本発明のうち請求項１に記載の発明は、壁に埋め込まれた埋込ボックスの前面に対し、カバー部材を介してインターホン機器の本体ケースを固定することによって、インターホン機器を壁面に設置するための設置構造であって、埋込ボックスに固定するための第１の固定部と、カバー部材が固定される第２の固定部とが備えられているとともに、第２の固定部が、第１の固定部よりも上下方向及び左右方向で内側に備えられており、さらに、カバー部材よりも上下方向及び左右方向で小さなアタッチメントを設け、埋込ボックスの前面にアタッチメントを固定するとともに、当該アタッチメントを前方から覆うようにカバー部材を固定し、さらに当該カバー部材の前面に本体ケースを固定することによって、インターホン機器を壁面に設置可能としたことを特徴とする。
請求項１に記載の発明によれば、埋込ボックスに固定するための第１の固定部と、カバー部材が固定される第２の固定部とを備えているとともに、第２の固定部が、第１の固定部よりも上下方向及び左右方向で内側に備えられ、さらに、カバー部材よりも上下方向及び左右方向で小さなアタッチメントを設けた。そして、埋込ボックスの前面にアタッチメントを固定するとともに、当該アタッチメントを前方から覆うようにカバー部材を固定し、さらに当該カバー部材の前面に本体ケースを固定することによって、インターホン機器を壁面に設置可能としている。このようにカバー部材と埋込ボックスとの間にアタッチメントを介在させることで、カバー部材の埋込ボックス側への固定位置を従来よりも内側へ移した。したがって、従来と同じカバー部材や埋込ボックスを用いているにも拘わらず、カバー部材を埋込ボックス側へ固定するネジ等の一部が、インターホン機器の周縁から露出してしまうことを防止することができる。
【０００７】
請求項２に記載の発明は、請求項１に記載の発明において、埋込ボックスの前面に、正面視矩形の開口が開設されているとともに、開口の左右両側縁に、アタッチメントが固定される被固定部が設けられている一方、アタッチメントが、上下方向に延びる帯状体であり、その上下両端に第１の固定部が備えられているとともに、側縁に第２の固定部が備えられており、開口の左側縁に１つのアタッチメントを、第２の固定部が第１の固定部よりも左右方向で内側に位置するような姿勢で固定する一方、開口の右側縁にもう１つのアタッチメントを、左側のアタッチメントとは上下逆さの姿勢で固定することを特徴とする。
請求項２に記載の発明によれば、アタッチメントを、上下方向に延びる帯状体とし、その上下両端に第１の固定部を備えるとともに、側縁に第２の固定部を備え、埋込ボックスの開口の左側縁に１つのアタッチメントを、第２の固定部が第１の固定部よりも左右方向で内側に位置するような姿勢で固定する一方、埋込ボックスの開口の右側縁にもう１つのアタッチメントを、左側のアタッチメントとは上下逆さの姿勢で固定するようになっている。したがって、アタッチメントの構造が非常に簡易であり、安価に製造することができる。また、２つのアタッチメントを利用するものの、どちらも同一部材であることから、部品の種類の削減、部品の管理の簡易化を図ることができ、ひいては更なる低コスト化を実現することができる。
【発明の効果】
【０００８】
本発明によれば、埋込ボックスに固定するための第１の固定部と、カバー部材が固定される第２の固定部とを備えているとともに、第２の固定部が、第１の固定部よりも上下方向及び左右方向で内側に備えられ、さらに、カバー部材よりも上下方向及び左右方向で小さなアタッチメントを設けた。そして、埋込ボックスの前面にアタッチメントを固定するとともに、当該アタッチメントを前方から覆うようにカバー部材を固定し、さらに当該カバー部材の前面に本体ケースを固定することによって、インターホン機器を壁面に設置可能としている。このようにカバー部材と埋込ボックスとの間にアタッチメントを介在させることで、カバー部材の埋込ボックス側への固定位置を従来よりも内側へ移した。したがって、従来と同じカバー部材や埋込ボックスを用いているにも拘わらず、カバー部材を埋込ボックス側へ固定するネジ等の一部が、インターホン機器の周縁から露出してしまうことを防止することができる。
【図面の簡単な説明】
【０００９】
【図１】壁面に設置されたインターホン親機を前面側から示した説明図である。
【図２】図１中のＡ−Ａ線断面を示した説明図である。
【図３】インターホン親機、カバー部材、及び埋込ボックスの位置関係を示した斜視説明図である。
【図４】埋込ボックスとアタッチメントとを示した斜視説明図である。
【図５】カバー部材を示した斜視説明図である。
【図６】埋込ボックスにアタッチメントを固定した状態を示した斜視説明図である。
【図７】アタッチメントにカバー部材を固定した状態を示した斜視説明図である。
【発明を実施するための形態】
【００１０】
以下、本発明の一実施形態となるインターホン親機の壁面への設置構造について、図面にもとづき詳細に説明する。
【００１１】
図１は、壁面Ｗに設置されたインターホン親機１を前面側から示した説明図であり、図２は、図１中のＡ−Ａ線断面を示した説明図である。図３は、インターホン親機１、カバー部材２、及び埋込ボックス３の位置関係を示した斜視説明図である。図４は、埋込ボックス３とアタッチメント４、４とを示した斜視説明図であり、図５は、カバー部材２を示した斜視説明図である。図６は、埋込ボックス３にアタッチメント４、４を固定した状態を示した斜視説明図であり、図７は、アタッチメント４、４にカバー部材２を固定した状態を示した斜視説明図である。なお、図３、図６、及び図７では、壁面Ｗを省略している。
【００１２】
インターホン親機１は、前側に配置される前ケース５と、後側に配置される後ケース６と、前ケース５の前面側に配置される化粧パネル７とを組み付けてなる本体ケースを有している。この本体ケースの前面には、図示しないインターホン子機で撮像された映像等を表示するための映像表示部８、インターホン子機との間で通話するための通話部９、及び各種ボタン１０、１０・・等が設けられている。そして、このようなインターホン親機１は、壁内に埋め込まれた埋込ボックス３に対し、カバー部材２及びアタッチメント４、４を介して固定されることにより、壁面Ｗに設置されるようになっている。
【００１３】
ここで、本発明の要部となるインターホン親機１の設置構造について詳細に説明する。
埋込ボックス３は、従来同様、前面に開口１１が開設された金属製の方形ボックス体であって、前面における開口１１の周縁部には、インターホン親機１側（ここでは、アタッチメント４、４）をネジ止めするためのネジ孔１２、１２・・が設けられている。
【００１４】
カバー部材２は、埋込ボックス３と同じく従来同様の構成を有するものであり、正面視が中央の平坦部２ａに開口１５を有する略矩形枠状とされ、上下左右縁部に、後方へ折り曲げられた形状に成形された折り曲げ部２ｂが設けられた合成樹脂製部材である。また、平坦部２ａにおける開口１５の周縁部であって、開口１５の四隅の外側となる位置には、インターホン親機１の本体ケースをネジ止めするためのネジ孔１６、１６・・が設けられている。さらに、平坦部２ａにおける開口１５の左右側縁部であって、ネジ孔１６、１６・・よりも上下方向で内側となる位置には、後述するアタッチメント４、４へネジ止めするためのネジ止め凹部１７、１７・・が設けられている。各ネジ止め凹部１７は、上下方向に対して左右何れかに傾斜する傾斜方向へ延びる凹部と、凹部の底面に設けられた凹部と同形状の長孔とを有しており、図６に示すようにアタッチメント４、４へネジ止めするにあたり、ネジ頭を凹部内へ収納可能となっている。
【００１５】
アタッチメント４は、上下方向に長い帯状の金属板であって、本体４ａの上下両端部は、夫々後方へ折り曲げられて脚部４ｂとされている。また、各脚部４ｂの先端は、再び上下方向で外方（上側の脚部４ｂでは上方、下側の脚部４ｂでは下方）に夫々折り曲げられて基部４ｃとされている。そして、各アタッチメント４の前後高さは、カバー部材２の折り曲げ部２ｂの先端から中央の平坦部２ａまでの前後高さと略同じとなっている。また、アタッチメント４の上下方向の長さは、カバー部材２の上下方向の長さよりも十分に短く、且つ、アタッチメント４の左右方向の幅は、カバー部材２の左右方向の幅よりも十分に短くなっている（すなわち、アタッチメント４は、カバー部材２よりも上下方向及び左右方向で小さく成形されている）。したがって、図２に示すように、カバー部材２を、その折り曲げ部２ｂの先端が壁面Ｗに接地するように取り付けた際、アタッチメント４、４はカバー部材２の後側に収納されることになる。一方、各基部４ｃには、アタッチメント４、４を埋込ボックス３にネジ止めするための固定孔１３が夫々設けられている。この固定孔１３、１３の上下方向での間隔は、埋込ボックス３のネジ孔１２、１２の上下方向での間隔と同じとされている。また、本体４ａの側縁に沿って、カバー部材２をネジ止めするための一組のネジ孔１４、１４が設けられている。なお、左右のアタッチメント４、４は上下逆さの関係にあり、たとえば左側のアタッチメント４を上下逆さにすれば、右側のアタッチメント４となる。
【００１６】
そして、上述したような設置構造によるインターホン親機１の壁面Ｗへの設置について説明すると、埋込ボックス３は、従来同様に特にネジ孔１２、１２を含んだ開口１１の周縁部のみを露出させた状態で、予め壁の内側に埋め込まれる。この埋込ボックス３に対して、まずは各アタッチメント４を、ネジ孔１４、１４が固定孔１３、１３よりも上下方向で内側、且つ、左右方向でも内側となるような姿勢、具体的に説明すると左側のアタッチメント４はネジ孔１４、１４が本体４ａの右側縁に位置する姿勢、右側のアタッチメント４はネジ孔１４、１４が本体４ａの左側縁に位置する姿勢とし、各アタッチメント４の固定孔１３、１３を埋込ボックス３のネジ孔１２、１２に対応させて、ネジ２０、２０・・によりアタッチメント４、４を埋込ボックス３にネジ止めする。次に、アタッチメント４、４全体を前方から覆うようにカバー部材２をあてがい、ネジ孔１４、１４・・とネジ止め凹部１７、１７・・とを対応させて、ネジ２１、２１・・によりカバー部材２をアタッチメント４、４にネジ止めする。それから、カバー部材２の平坦部２ａの前面に後ケース６をあてがい、ネジ２２、２２・・（図２に示す）により後ケース６をカバー部材２にネジ止めするとともに、当該後ケース６に前ケース５を組み付ける等することにより、インターホン親機１の壁面Ｗへの設置は完了となる。
【００１７】
以上のような構成を有するインターホン親機１の壁面Ｗへの設置構造によれば、埋込ボックス３に固定するための固定孔１３、１３と、カバー部材２が固定されるネジ孔１４、１４とが備えられているとともに、カバー部材２よりも上下方向及び左右方向で小さく成形された一組のアタッチメント４、４を設けた。そして、そのアタッチメント４、４を、ネジ孔１４、１４が固定孔１３、１３よりも上下方向及び左右方向で内側に位置するような姿勢で埋込ボックス３の前面に固定した。すなわち、カバー部材２と埋込ボックス３との間にアタッチメント４、４を介在させることで、カバー部材２の埋込ボックス３側への固定位置を従来よりも内側へ移した。その上で、当該アタッチメント４、４を前方から覆うようにカバー部材２を固定し、さらに当該カバー部材２の前面にインターホン親機１の本体ケースを固定することによって、インターホン親機１を壁面Ｗに設置可能とした。したがって、従来と同じカバー部材２や埋込ボックス３を用いているにも拘わらず、カバー部材２を埋込ボックス３側へ固定するネジ等の一部が、インターホン親機１の周縁から露出してしまうことを防止することができる。
【００１８】
また、アタッチメント４を、上下方向に延びる帯状体とし、その上下両端に固定孔１３、１３を備えるとともに、側縁にネジ孔１４、１４を備え、埋込ボックスの３の開口１１の左側縁に１つのアタッチメント４を、ネジ孔１４、１４が固定孔１３、１３よりも左右方向で内側に位置するような姿勢で固定する一方、埋込ボックス３の開口１１の右側縁にもう１つのアタッチメント４を、左側のアタッチメント４とは上下逆さの姿勢で固定するようにした。したがって、アタッチメント４の構造が非常に簡易であり、安価に製造することができる。また、２つのアタッチメント４、４を利用するものの、どちらも同一部材であることから、部品の種類の削減、部品の管理の簡易化を図ることができ、ひいては更なる低コスト化を実現することができる。
【００１９】
なお、本発明に係るインターホン機器の壁面への設置構造は、上記実施形態の態様に何ら限定されるものではなく、インターホン機器の全体的な構成は勿論、壁面への設置に係る構成についても、本発明の趣旨を逸脱しない範囲で、必要に応じて適宜変更することができる。
【００２０】
たとえば上記実施形態では、アタッチメントを帯状体とし、２つのアタッチメントを利用してカバー体と埋込ボックスとを一体化するように構成しているが、アタッチメントをカバー体同様の矩形フレーム体として構成し、１つのアタッチメントによりカバー体と埋込ボックスとを一体化するように構成しても何ら問題はない。
また、上記実施形態では、埋込ボックスの前面に開設された開口の左右両側縁に、アタッチメントを固定する被固定部を設けるとしているが、上下両側縁に被固定部を設けてもよいし、上下左右全ての縁部に被固定部を設けるとしてもよい。
さらに、アタッチメントを金属製でなく、合成樹脂製とすることも可能である。
加えて、本発明に係る設置構造は、上記実施形態に記載したようなインターホン親機のみならず、たとえば玄関の壁面に設置されるインターホン子機等の他のインターホン機器の壁面への設置構造としても好適に採用することができる。
【符号の説明】
【００２１】
１・・インターホン親機（インターホン機器）、２・・カバー部材、３・・埋込ボックス、４・・アタッチメント、１１・・開口、１２・・ネジ孔（被固定部）、１３・・固定孔（第１の固定部）、１４・・ネジ孔（第２の固定部）。
【図１】
2018166288.tif 000003
【図２】
2018166288.tif 000004
【図３】
2018166288.tif 000005
【図４】
2018166288.tif 000006
【図５】
2018166288.tif 000007
【図６】
2018166288.tif 000008
【図７】
2018166288.tif 000009